(57)【特許請求の範囲】
【請求項１】
可変重量の運動靴であって、
上方部分と、弾性の靴底部分とを有する運動靴にして、上方部分が、足前部包囲セクションと、踵部包囲セクションとを有し、踵部包囲セクションが、第１の側部と第２の側部とを有し、靴底部分が、前端部と、後端部と、底面とを有し、靴底部分の後端部が、底面から上方縁部に向けて上方に伸延し且つ上方部分の踵部包囲セクション上に配置された運動靴と、
弾性材料から形成した取り外し自在の靴用の可変重量の複数の重りにして、靴底部分の後端部と合致する形状とされ、内側面と、外側面と、上方縁部と、底縁部とを有し、穴を設けて軽量化する重りと、
該重りを靴底の後端部に取り外し自在に取り付けるための手段と、
を含む可変重量の運動靴。
【請求項２】
重りを靴底の後端部に取り外し自在に取り付けるための手段が、
運動靴の靴底部分の後端部の、底面と上方縁部との間に配置されたキャビティを含み、該キャビティが、上方縁部と、下方縁部と、後方部分とを有し且つ重りを取り外し自在に受ける寸法形状及び配置とされ、
キャビティの下方縁部位置に下方の受け用ノッチが配置され、
キャビティの上方縁部位置に上方の受け用ノッチが配置され、
重りの底縁部に突出タブが固着され、該突出タブが、キャビティの下方の受け用ノッチと取り外し自在に係合する寸法形状及び配置とされ、
重りの上方縁部に弾性のラッチが固着され、該ラッチが、キャビティの上方の受け用ノッチと釈放自在に係合する寸法形状及び配置とされ、
前記突出タブが下方の受け用ノッチに挿通され、重りが運動靴に向けて上方に傾斜された場合に重りがキャビティに押し込まれ、弾性のラッチが釈放されて上方の受け用ノッチと係合し、かくして、重りが運動靴に取り外し自在に取り付けられるようにした請求項１の可変重量の運動靴。
【請求項３】
重りが、該重りを腐食力から保護し且つ運動靴の外観を向上させるために選択された覆い材内に格納される請求項１の可変重量の運動靴。
【請求項４】
靴底の後端部に重りを取り外し自在に取り付けるための手段が、
靴底部分の底面と後端部の上方縁部との間に配置したキャビティにして、上方縁部と、下方縁部と、後方部分とを有し、取り外し自在の靴用の重りを受ける寸法形状及び配置とされたキャビティと、
キャビティの上方縁部位置に配置された上方の受け用ノッチと、
キャビティの下方縁部に隣り合って配置されたラッチにして、キャビティの後方部分と略平行に配置された弾性の細長部材と、該細長部材からキャビティに隣り合う位置に細長部材と直交方向に伸延する突出フィンガとを含むラッチと、
重りの上方縁部位置に形成され、上方の受け用ノッチと係合する寸法形状及び配置とされた突出リップと、
重りの底縁部に固定され、ラッチの突出フィンガと取り外し自在に係合する寸法形状及び配置とされたオリフィスを含む受け用突出タブと、
を含み、
突出リップを上方の受け用ノッチに挿通し、重りを運動靴に向けて下方に傾け、ラッチの細長部材を運動靴の外側に引張して重りをキャビティに押し込んだ場合に、細長部材が釈放されて突出フィンガが受け用突出タブのオリフィスと係合され、かくして、重りが運動靴に取り外し自在に取り付けられる請求項１の可変重量の運動靴。
【請求項５】
可変重量の運動靴であって、
足前部包囲セクション及び踵部包囲セクションを有する上方部分と、弾性の靴底部分とを有する運動靴を含み、
踵部包囲セクションが第１の側部及び第２の側部を有し、
靴底部分が、所定の厚さと、前端部と、後端部と、底面とを有し、
靴底部分が、踵重りキャビティを含み、該踵重りキャビティが、第１の所定の距離において前方に伸延する開口を靴底部分の後端部位置に有し、
踵重りキャビティが、上面と、下面と、前面とを有し、
前端部と、後端部と、上面及び底面とを有し且つ踵重りキャビティ内に滑り嵌めする形状を有する可変重量の複数の重りにして、穴を設けて軽量化する重りと、
踵重りキャビティから重りを排出させるための手段と、
踵重りキャビティ内に重りを釈放自在に維持するための手段と、
を含んでいる可変重量の運動靴。
【請求項６】
踵重りキャビティから重りを排出させるための手段が、踵重りキャビティの前面に固定され且つ踵重りキャビティと重りとの間に配置された第１の圧縮バネを含んでいる請求項５の可変重量の運動靴。
【請求項７】
踵重りキャビティ内に重りを釈放自在に維持するための手段が、
踵重りキャビティの上面において該上面と直交して位置決めされた戻止め開口と、
重りの上面で且つ重りの後端部に隣り合って固定したラッチにして、踵重りキャビティの上面から上方に鋭角に突出する弾性の細長部材と、該細長部材から直交方向に伸延する突出フィンガとを含み、該突出フィンガが、踵重りキャビティの戻止め開口と釈放自在に係合する寸法形状及び配置とされるラッチと、
を含み、
重りを踵重りキャビティに挿通して第１の圧縮バネを圧縮し、細長部材を重りの上面に向けて押し下げ、次いで細長部材を釈放して該細長部材をバネにより上昇させて突出フィンガを踵重りキャビティの戻止め開口と係合させた場合に、運動靴の踵重りキャビティ内に重りが取り外し自在に維持され、
細長部材を重りに対して押し下げてラッチの突出フィンガを戻止め開口から脱係合させた場合に、第１の圧縮バネが重りを踵重りキャビティの外側に付勢し、かくして、運動靴の装着者が踵重りキャビティから重りを取り外せるようにした請求項５の可変重量の運動靴。
【請求項８】
可変重量の運動靴であって、
上方部分及び靴底部分を有する運動靴を含み、
上方部分が、足前部包囲セクション及び踵部包囲セクションを有し、
靴底部分が、所定の厚さと、前端部と、後端部と、中央アーチセクションと、底面とを有し、
中央アーチセクションが、靴底部分の前端部及び後端部の間に配置され且つ第１の側部及び第２の側部を有し、
中央アーチセクションが、第１の側部位置に開口し第２の側部に向けて第２の所定距離において伸延する開口を有する中央アーチ重りキャビティを有し、
中央アーチ重りキャビティが、上面と、下面と、遠端部表面とを有し、
前端部と、後端部と、上面及び底面とを有し且つ中央アーチ重りキャビティ内に滑り嵌めする形状を有し且つ可変重量の複数の重りにして、穴を設けて軽量化する重りと、
中央アーチ重りキャビティから重りを排出させるための手段と、
中央アーチ重りキャビティ内で重りを釈放自在に維持するための手段と、
を含む可変重量の運動靴。
【請求項９】
中央アーチ重りキャビティから重りを排出させるための手段が、中央アーチ重りキャビティの遠端部表面に固定され且つ中央アーチ重りキャビティと重りとの間に配置された第２の圧縮バネを含む請求項８の可変重量の運動靴。
【請求項１０】
中央アーチ重りキャビティ内で重りを釈放自在に維持するための手段が、
中央アーチ重りキャビティの上面において、該上面と直交して位置決めされた戻止め開口と、
重りの上面の、後端部に隣り合う位置に固定したラッチにして、前記上面から上方に鋭角に突出する弾性の細長部材と、該細長部材から直交方向に伸延する突出フィンガにして、中央アーチ重りキャビティの戻止め開口と釈放自在に係合する寸法形状及び配置とされた突出フィンガと、を有するラッチと、
を含み、
重りを中央アーチ重りキャビティに挿通して第２の圧縮バネを圧縮させ、細長部材を重りの上面に向けて押し下げ、次いで細長部材を釈放させた場合に、該細長部材がバネによって上昇し、突出フィンガが中央アーチ重りキャビティ内の戻止め開口と係合し、かくして、運動靴の中央アーチ重りキャビティ内に重りが取り外し自在に維持され、
細長部材を重りに対して押し下げてラッチの突出フィンガを戻止め開口から外した場合に、第２の圧縮バネが重りを中央アーチ重りキャビティの外側に付勢し、かくして運動靴の装着者が中央アーチ重りキャビティから重りを取り外せるようにした請求項８の可変重量の運動靴。
【請求項１１】
重りを靴底の後端部に取り外し自在に取り付けるための手段が、
靴底部分の上方縁部に隣り合う後端部上に配置された第１及び第２の各Ｌ形整列レールと、
キャビティにして、上方縁部と、下方縁部と、後壁とを有し、靴底部分の後端部において前記第１及び第２の各Ｌ形整列レール間に配置され且つ靴底部分の底面から離間されたキャビティと、
第１の端部及び第２の端部を有する垂直部分を含み、前記第１の端部をキャビティの下方縁部にピボット廻動自在に取り付けたラッチ部材と、
ラッチ部材の第２の端部に固定され且つキャビティから外側方向に伸延する突出フィンガ要素と、
キャビティの後壁と、ラッチ部材との間に配置され、ラッチ部材をキャビティから外側に付勢する第３の圧縮バネと、
取り外し自在の靴用の重りの内側面上で、第１及び第２の各Ｌ形整列レールを受ける寸法形状及び配置とされた第１及び第２の各アクセス開口と、
該第１及び第２の各アクセス開口から重りの上方縁部に向けて伸延し、第１及び第２の各Ｌ形整列レールを摺動自在に受ける寸法形状及び配置とされた第１及び第２の各整列長孔と、
を含み、
重りの内側面の第１及び第２の各アクセス開口を第１及び第２の各Ｌ形整列レールの上方に配置し、重りを下方に付勢して第１及び第２の各Ｌ形整列レールを第１及び第２の各整列長孔と係合させた場合に、ラッチ部材が第３の圧縮バネに抗して内側に付勢されて受け用ノッチがラッチ部材の突出フィンガ要素をかわせるようになり、次いで、ラッチ部材が釈放されて突出フィンガ要素が重りの受け用ノッチと係合し、かくして、重りが運動靴に取り外し自在に取り付けられ、
ラッチ部材を第３の圧縮バネに抗して内側に付勢して重りを運動靴の上方に引張した場合に、突出フィンガ要素が受け用ノッチから外れて重りが上方に摺動し、第１及び第２の各Ｌ形整列レールが第１及び第２の各アクセス開口に入れるようになり、かくして、重りが外側に引張されて運動靴の靴底部分の後端部から取り外せるようにした請求項１の可変重量の運動靴。
【請求項１２】
重りが、該重りを腐食力から保護し且つ運動靴の外観を向上させるために選択された覆い材内に格納される請求項１の可変重量の運動靴。
【請求項１３】
重りを靴底の後端部に取り外し自在に取り付けるための手段が、
踵部包囲セクションの第１及び第２の各側に配置された第１及び第２の各Ｌ形ブラケットと、
第１及び第２の各Ｌ形ブラケットが靴底部分の底面から第３の所定距離において離間され、
第１の重り部分と、第２の重り部分と、カム錠止レバーとを含み、且つ、第１の端部と、第２の端部と、上面及び底面を有する重りにして、第１の重り部分が第１の端部及び第２の端部を有する重りと、
第１のＬ形ブラケットと取り外し自在に係合する寸法形状とされ、第１の重り部分の第１の端部位置に配置された第１のフック要素と、
第１の重り部分の第２の端部に隣り合って配置された複数の調節ノッチと、
前記第２の重り部分が第１及び第２の各端部を有し、
前記第２のＬ形ブラケットと取り外し自在に係合する寸法形状とされ、第２の重り部分の第２の端部位置に配置された第２のフック要素と、
第２の重り部分の第１の端部に隣り合って配置されたピボットピンと、
カム錠止レバーの底面を受ける寸法形状とされ且つ第２の重り部分の第１の端部から離間された釈放凹所と、
前記カム錠止レバーの第１の端部が、第２の重り部分のピボットピンにピボット廻動自在に取り付けられ、
第１の重り部分の複数の調節ノッチと係合する寸法形状及び配置とされたノッチ係合爪と、
該ノッチ係合爪がカム錠止レバーの第１及び第２の各端部間にピボット廻動自在に取り付けられ、
カム錠止レバーの第１の端部と、ノッチ係合爪のピボット取り付け部との間に配置された開口にして、第１の重り部分の複数の調節ノッチ及び第２の端部を摺動自在に通過させ得る寸法形状とされた開口と、
カム錠止レバーの第２の端部位置に配置された運転ハンドルと、
を含み、
第１の重り部分の第２の端部をカム錠止レバーの開口に通し、カム錠止レバーを第１の開放位置に運転ハンドルを使用して移動した場合に、第１のフック要素が第１のＬ形ブラケットの上方に配置され、第２のフック要素が第２のＬ形ブラケットの上方に配置され、ノッチ係合爪が第１の重り部分の調節ノッチの１つと係合し、カム錠止レバーを第２の閉鎖位置に移動してカム錠止レバーの底面を第２の重り部分の釈放凹所内に配置し、かくして、重りの第１の重り部分及び第２の重り部分が運動靴の靴底部分の後端部に取り付け自在に取り付けられ、
運転ハンドルを移動してカム錠止レバーを第１の開放位置とした場合に、第１及び第２の各フック要素が第１及び第２の各Ｌ形ブラケットから外れ、かくして、重りを運動靴から取り外せるようにした請求項１の可変重量の運動靴。
【発明の詳細な説明】
【０００１】
（発明の分野）
本発明は運動靴に関し、詳しくは、トレーニング及び練習目的上の可変量の追加の重りを受けるように設計された運動靴に関する。
【０００２】
（従来の技術）
靴の装着者に追加的な練習あるいは重りトレーニングを提供する目的のための重りを含む運動靴（以下、シューズあるいは単に靴とも称する）の種々の設計形状が開発された。米国特許第５，２３１，７７６号では、靴底に成形したラティス格子マトリクス内に複数の小金属球が捕捉される。米国特許第５，６３８，６１３号及び同第４，７０９，９２１号では、米国特許第３，１０９，２４５号においてそうであるように、靴底に一体化させた平坦な重りが使用される。最新設計の靴は、可変量の重りを靴に追加するための様々な手段を含んでいる。米国特許第４，７７７，７４３号では、１つ以上の重りを取り付けた留めストラップが、靴の、くるぶしよりも上の部分の周囲位置に使用される。米国特許第４，６８６，７８１号では、靴底内に、鉛球若しくは類似の重り材料を収受するべく設計されたチャンバが含まれる。米国特許第３，１１４，９８２号及び同第４，４５８，４３２号では、靴用重りを保持するためのポケットが組み込まれる。
【０００３】
従来設計の重り付きシューズは、取り付けた重りを外す、若しくは変化させることができない、あるいは重りの可変性は限られたものでしかない。ある設計形状のものは、重量バランスを比較的偏らせ、しかも靴の外観とも滑らかに一体化されない重りポケットを外側に設ける。ある設計形状のものでは靴の内部空間内を重りが移動して装着者への靴の不安定感を増大させる。
【０００４】
（解決しようとする課題）
解決しようとする課題は、靴用の可変重りを提供することである。
他の課題は、靴の装着者が、靴の構造的な一体性を損なうことなく靴から重りを完全に取り外すことができるようにすることである。
他の課題は、靴の外観と滑らかに一体化する重り取り付けを提供することである。
他の課題は、靴の装着者が、外部工具を使用することなく靴の重りを変化させ得るようにすることである。
【０００５】
（課題を解決するための手段）
本発明によれば、従来の重り付きシューズの欠点の全てを解決し、上述の課題の全てを解決する可変重量の運動靴が提供される。本発明の可変重量の運動靴は以下の部品から構成される。即ち、運動靴は、上方部分と、弾性の靴底部分とを有し、上方部分は、足前部包囲セクションと、踵部包囲セクションとを有する。靴底部分は、前端部と、後端部と、底面とを有し、後端部は、底面から上方縁部に伸延し且つ上方部分の踵部包囲セクション上に配置される。
【０００６】
着脱自在の靴用の重りが提供される。重りは弾性材料から形成され、形状は靴底部分の後端部と一致される。重りは、内側面と、外側面と、上方縁部と、低縁部とを有する。重りを靴底部分の後端部に着脱自在に取り付けるための手段が設けられる。
本発明の他の実施例において、重りを靴底部分の後端部に着脱自在に取り付けるための手段は、底面と、靴底部分の後端部の上方縁部との間に位置付けたキャビティを更に含んでいる。キャビティは、上方縁部と、下方縁部と、後方部分とを有し、着脱自在の靴用重りを受ける寸法形状及び配置を有するものとされる。
【０００７】
下方の受け用ノッチがキャビティの下方縁部位置に位置付けられ、キャビティの上方縁部位置には上方の受け用ノッチが位置付けられる。重りの底縁部には突出タブが固定される。突出タブは、キャビティの下方の受け用ノッチと着脱自在に係合する寸法形状及び配置とされる。
重りの上方縁部には弾性のラッチが固定される。ラッチは、キャビティの上方の受け用ノッチと釈放自在に係合する寸法形状及び配置とされる。使用に際しては、突出タブを下方の受け用ノッチに挿通し、重りを運動靴に向けて上方に傾斜させる。ラッチを突出タブに向けて押し下げて重りをキャビティ内に押し込み、ラッチを釈放して上方の受け用ノッチと係合させる。かくして、重りは運動靴に着脱自在に取り付けられる。
【０００８】
本発明の他の実施例において、運動靴のキャビティに取り付ける形態とした可変重量の複数の重りが提供される。更に他の実施例では、重りが、これらの重りを腐食の力から保護し且つ靴の外観を向上させるように選択した覆い材に格納される。
本発明の更に他の実施例では、靴底部分の後端部に重りを着脱自在に取り付けるための手段が、靴底部分の後端部の上方縁部と、底面との間に位置付けたキャビティを更に含んでいる。キャビティは、上方縁部と、下方縁部と、後方部分とを有し、取り外し自在の靴用重りを受ける形状寸法及び配置を有するものとされる。
上方受け用ノッチがキャビティの上方縁部位置に位置付けられ、キャビティの下方縁部に隣り合ってラッチが位置付けられる。ラッチは、キャビティの後方部分に略平行に位置付けた弾性の細長部材と、この細長部材から直角方向にキャビティに隣り合う位置に伸延する突出フィンガとを含んでいる。
重りの上方縁部位置には突出リップが形成される。突出リップは、上方の受け用ノッチと係合する寸法形状及び配置とされる。重りの底縁部には受け用突出タブが固定される。受け用突出タブは、ラッチの突出フィンガと取り外し自在に係合する寸法形状及び配置とされる。
【０００９】
使用に際しては、突出リップを上方の受け用ノッチに挿通し、重りを運動靴に向けて下方に傾け、ラッチの細長部材を運動靴の外側方向に引張させ、重りをキャビティに押し込む。次いで細長部材を釈放して突出フィンガを受け用突出タブのオリフィスと係合させる。かくして、重りは運動靴に取り外し自在に取り付けられる。
また別の実施例では、運動靴は上方部分を有し、弾性の靴底部分が設けられる。上方部分は足前部包囲セクションと、踵部包囲セクションとを有する。踵部包囲セクションは第１の側部及び第２の側部を有する。靴底部分は所定の厚さを有し、前端部と、後端部と、底面とを有する。
靴底部分は、この靴底部分の後端部位置に開口して第１の所定距離前方に伸延する踵重りキャビティを含む。踵重りキャビティは、上面と、下面と、前面とを有する。
前端部と、後端部と、上面と、底面とを有する重りが提供される。重りは、踵重りキャビティ内に滑り嵌めする形状を有する。踵重りキャビティから重りを排出させるための手段と、重りを踵重りキャビティ内に釈放自在に維持するための手段とが設けられる。
この実施例では、運動靴の踵重りキャビティ内に滑り嵌めする形態とされた可変重量の複数の重りもまた設けられる。
【００１０】
本発明の他の実施例では、踵重りキャビティから重りを排出させるための手段が、踵重りキャビティの前面に固定され且つ踵重りキャビティと、重りとの間に配置した第１の圧縮バネを含んでいる。
更に他の実施例では、踵重りキャビティ内に重りを釈放自在に維持するための手段が、踵重りキャビティの上面に位置決めされ、この上面と直角を成す戻止め開口と、重りの上面に固定したラッチとを含んでいる。ラッチは、重りの後端部に隣り合わせて位置決めされ、重りの上面から上方に鋭角に突出する弾性の細長部材と、この細長部材から直角方向に伸延する突出フィンガとを含む。突出フィンガは、踵重りキャビティの戻止め開口と釈放自在に係合する寸法形状及び配置とされる。
【００１１】
使用に際しては、踵重りキャビティに重りを挿通して第１の圧縮バネを圧縮し、細長部材を重りの上面に向けて押し下げ、次いで細長部材を釈放して細長部材をバネによって上方に押し上げ、突出フィンガを踵重りキャビティの戻止め開口と係合させる。かくして、重りは運動靴の踵重りキャビティ内に取り外し自在に維持される。踵重りキャビティから重りを取り外すためには、細長部材を重りに抗して押し下げ、戻止め開口からラッチの突出フィンガを外す。すると、第１の圧縮バネが重りを踵重りキャビティから外側に押し出すので、装着者は重りを運動靴から取り出せるようになる。
本発明の更に他の実施例では、可変重り付きの運動靴が、上方部分と、弾性の靴底部分とを有する運動靴を含む構成のものとされ得る。上方部分は足前部包囲セクションと踵部包囲セクションとを有し、靴底部分は、所定の厚さと、前端部と、後端部と、中央アーチセクションと、底面とを有する。
中央アーチセクションは靴底部分の前端部と後端部との間に位置付けられ、第１の側部と第２の側部とを有する。中央アーチセクションはアーチ重りキャビティを含み、アーチ重りキャビティは、靴底部分の第１の側部の位置に開口して第２の所定距離において第２の側部に向けて伸延し、上面と、下面と、遠端部表面とを有する。
【００１２】
前端部と、後端部と、上面と、底面とを有する重りが提供される。重りはアーチ重りキャビティ内に滑り嵌めする形状を有する。重りをアーチ重りキャビティから排出させるための、及び、アーチ重りキャビティ内に重りを釈放自在に維持するための手段が設けられる。
この実施例では、運動靴のアーチ重りキャビティ内に滑り嵌めする形態とした可変重量の複数の重りが提供される。
本発明の更に他の実施例では、アーチ重りキャビティから重りを排出させるための手段が、アーチ重りキャビティの遠端部表面に固定されアーチ重りキャビティと重りとの間に配置された第２の圧縮バネを含んでいる。
更に別の実施例では、重りをアーチ重りキャビティ内に釈放自在に維持するための手段が、アーチ重りキャビティの上面に位置決めされ、この上面と直交する戻止め開口と、重りの上面に固定したラッチとを含んでいる。ラッチは、重りの後端部に隣り合って取り付けられ、重りの上面から上方に向けて鋭角に突出する弾性の細長部材と、この細長部材から直角方向に伸延する突出フィンガとを含んでいる。突出フィンガは、アーチ重りキャビティの戻止め開口と釈放自在に係合する寸法形状及び配置とされる。
【００１３】
使用に際しては、重りをアーチ重りキャビティ内に挿通して第２の圧縮バネを圧縮し、細長部材を重りの上面に向けて押し下げ、次いで細長部材を釈放させると、細長部材がバネによって押し上げられ、突出フィンガがアーチ重りキャビティの戻止め開口と係合する。かくして、重りは運動靴のアーチ重りキャビティ内に釈放自在に維持される。
細長部材を重りに対して押し下げるとラッチの突出フィンガが戻止め開口から外れ、第２の圧縮バネが重りをアーチ重りキャビティから押し出すので、装着者はアーチ重りキャビティから重りを取り出せるようになる。
【００１４】
更に他の実施例では、重りを靴底部分の後端部に取り外し自在に取り付けるための手段が第１及び第２の各Ｌ形の整列レールを含んでいる。整列レールは、靴底部分の後端部上でこの靴底部分の上方縁部に隣り合って位置付けられる。上方縁部と、下方縁部と、後壁とを有するキャビティが、靴底部分の後端部において第１及び第２の各Ｌ形の整列レールの間の中央に位置付けられる。
ラッチ部材が提供される。ラッチ部材は、第１の端部及び第２の端部を有する垂直部分を含み、第１の端部はキャビティの下方縁部にピボット廻動自在に取り付けられる。ラッチ部材の第２の端部には、キャビティの外側に伸延する突出フィンガ要素が固定される。
【００１５】
キャビティの後壁とラッチ部材との間に、ラッチ部材をキャビティの外側に付勢する第３の圧縮バネが位置付けられる。第１及び第２の各Ｌ形の整列レールを受ける寸法形状を各々有する第１及び第２の各アクセス開口が、取り外し自在の靴用の重りの内側面に位置付けられる。
第１及び第２の各Ｌ形の整列長孔が設けられる。各整列長孔は、第１及び第２の各アクセス開口から重りの上方縁部に向けて伸延される。各整列長孔は、整列レールを摺動自在に受ける寸法形状及び配置とされる。
【００１６】
受け用ノッチが設けられる。受け用ノッチは、ラッチ部材の突出フィンガと釈放自在に係合する寸法形状を有し、重りの底縁部に隣り合って位置付けられる。使用に際しては、靴用の重りの内側面の第１及び第２の各アクセス開口を、第１及び第２の各Ｌ形の整列レールの上方に位置付け、重りを押し下げて第１及び第２の各整列レールを第１及び第２の各整列長孔と係合させ、ラッチ部材をコイルバネ、即ち、第３の圧縮バネに抗して押し込み、受け用ノッチにラッチ部材の突出フィンガを通過させる。次いでラッチ部材を釈放すると、突出フィンガが重りの受け用ノッチと係合し、かくして、重りが運動靴に取り外し自在に取り付けられる。
【００１７】
ラッチ部材を第３の圧縮バネに抗して押し込み、重りを運動靴から上方に引き出すと、突出フィンガが受け用ノッチから外れて重りが上方に摺動し、第１及び第２の各Ｌ形の整列レールが第１及び第２の各アクセス開口に入り込み、かくして、重りを外側に引き出して運動靴の靴底部分の後端部から取り外せるようになる。
更に他の実施例では、運動靴の靴底部分の後端部に取り付けられる形態の可変重量の複数の重りが提供される。
更に他の実施例では、重りは、腐食力から保護するため及び靴の外観を向上させるために選択した覆い材に格納される。
更に他の実施例では、重りを靴底部分の後端部に取り外し自在に取り付けるための手段が、踵部包囲セクションの第１及び第２の各側部に位置付けた第１及び第２の各Ｌ形ブラケットを更に含んでいる。各ブラケットは、靴底部分の底面から第３の所定距離において離間される。
【００１８】
第１の重り部分と、第２の重り部分と、カム錠止レバーとを含む重りが提供される。カム錠止レバーは、第１の端部と、第２の端部と、上面及び底面を有する。第１の重り部分は第１の端部及び第２の端部を有する。第１のブラケットと取り外し自在に係合する寸法形状とした第１のフック要素が提供される。第１のフック要素は第１の重り部分の第１の端部位置に位置付けられる。
第１の重り部分の第２の端部に隣り合って複数の調節ノッチが位置付けられる。第２の重り部分は第１の端部及び第２の端部を有する。第２のブラケットと取り外し自在に係合する寸法形状とした第２のフック要素が提供される。第２のフック要素は第２の重り部分の第２の端部位置に位置付けられる。
【００１９】
第２の重り部分の第１の端部に隣り合ってピボットピンが位置付けられる。カム錠止レバーの底面を受ける寸法形状とされ且つ第２の重り部分の第１の端部から離間された釈放凹部が設けられる。カム錠止レバーはその第１の端部位置で、第２の重り部分のピボットピンにピボット廻動自在に取り付けられる。第１の重り部分の複数の調節ノッチに係合する寸法形状及び位置を有するノッチ係合爪が提供される。ノッチ係合爪は、カム錠止レバーの第１の端部及び第２の端部間にピボット廻動自在に取り付けられる。
カム錠止レバーと、ノッチ係合爪の第１の端部と、ピボット取り付け部との間に開口が位置付けられる。開口は、第１の重り部分の複数の調節ノッチの第２の端部を摺動自在に通過させ得る寸法形状を有する。
【００２０】
使用に際しては、第１の重り部分の第２の端部をカム錠止レバーの開口に通し、カム錠止レバーを運転ハンドルの第１の開放位置に移動する。第１のフック要素を第１のＬ形ブラケットの上方に位置付け、第２のフック要素を第２のＬ形ブラケットの上方に位置付ける。次いで、ノッチ係合爪を第１の重り部分の調節ノッチの１つと係合させ、カム錠止レバーを第２の閉鎖位置に移動する。カム錠止レバーの底面を第２の重り部分の釈放凹所内に位置付け、第１及び第２の各重り部分を運動靴の靴底部分の後端部に取り外し自在に取り付ける。
【００２１】
運転ハンドルを移動してカム錠止レバーを第１の開放位置に位置付けると、第１及び第２の各フック要素が第１及び第２の各Ｌ形ブラケットから外れ、かくして、重りを運動靴から取り外せるようになる。
本発明の更に他の実施例は、運動靴の靴底部分の後端部に取り付ける形態とした可変重量の複数の重りを更に含んでいる。
更に他の実施例は、上方部分と弾性の靴底部分とを有する運動靴を含む。運動靴の上方部分は足前部包囲セクションと踵部包囲セクションとを有し、足前部包囲セクションは第１及び第２の各側部を有し、また、少なくとも一対の、第１及び第２の各Ｌ形ブラケットを第１及び第２の各側部上に含んでいる。
第１の重り部分と、第２の重り部分と、カム錠止レバーとを含む重りが提供される。第１の重り部分は第１の端部及び第２の端部を有する。第１のＬ形ブラケットと取り外し自在に係合する寸法形状とした第１のフック要素が提供される。第１のフック要素は、第１の重り部分の第１の端部に位置付けられる。
【００２２】
第１の重り部分の第２の端部に隣り合って複数の調節ノッチが位置付けられる。第２の重り部分が第１の端部及び第２の端部を有する。第２のＬ形ブラケットと取り外し自在に係合する寸法形状とした第２のフック要素が提供される。第２のフック要素は第２の重り部分の第２の端部位置に位置付けられる。
ピボットピンが、第２の重り部分の第１の端部に隣り合って位置付けられる。カム錠止レバーの底面を受ける寸法形状とされ且つ第２の重り部分の第１の端部から離間して釈放凹所が設けられる。カム錠止レバーが、第２の重り部分のピボットピンの第１の端部位置にピボット廻動自在に取り付けられる。第１の重り部分の複数の調節ノッチと係合する寸法形状及び位置を有するようにしたノッチ係合爪が設けられる。ノッチ係合爪は、カム錠止レバーの第１の端部及び第２の端部間にピボット廻動自在に取り付けられる。
【００２３】
カム錠止レバーの第１の端部と、ノッチ係合爪のピボット取り付け部との間に開口が位置付けられる。開口は、第１の重り部分の複数の調節ノッチと第２の端部とを摺動自在に通過させ得る寸法形状とされる。カム錠止レバーの第２の端部位置に運転ハンドルが位置付けられる、
運転に際しては、第１の重り部分の第２の端部をカム錠止レバーの開口を通して挿通し、運転ハンドルを使用してカム錠止レバーを第１の開放位置に移動する。これにより第１のフック要素が第１のＬ形ブラケットの上方に位置付けられ、第２のフック要素が第２のＬ形ブラケットの上方に位置付けられる。次いで、ノッチ係合爪を第１の重り部分の調節ノッチの１つと係合させ、カム錠止レバーを第２の閉鎖位置に移動すると、カム錠止レバーの底面が第２の重り部分の釈放凹所内に位置付けられ、かくして、第１及び第２の各重り部分が運動靴の足前部包囲セクションに対して取り外し自在に取り付けられる。
運転レバーを移動してカム錠止レバーを第１の開放位置に移動すると、第１及び第２の各フック要素が第１及び第２の各Ｌ形ブラケットから外れるので、重りを運動靴から取り外せるようになる。
更に他の実施例は、運動靴の足前部包囲セクションに取り付ける形態とした、可変重量の複数の重りを更に含んでいる。
【００２４】
（発明の実施の態様）
図１〜図１９には可変重量の運動靴１０が例示され、以下の如く構成されている。図１〜図３に例示されるように、上方部分１８と、弾性の靴底部分２２とを有する運動靴１４が提供される。上方部分１８は、足前部包囲セクション２６と、踵部包囲セクション３０とを有する。踵部包囲セクション３０は、第１の側部３４及び第２の側部３８を有する。靴底部分２２は、前端部４２と、後端部４６と、底面５０とを有し、後端部４６は、底面５０から上方縁部５４に向けて且つ上方部分１８の踵部包囲セクション上に配置される。
【００２５】
図１〜図５に例示されるように、取り外し自在の靴用の重り５８が提供される。重りは弾性材料から形成され、靴底部分２２の後端部４６と一致する形状とされる。重り５８は、内側面６２と、外側面６６と、上方縁部７０と、底縁部７４とを有する。重り５８を靴底部分２２の後端部４６に取り外し自在に取り付けるための重り取り付け手段７８が設けられる。
【００２６】
本発明の図４に例示する別態様では、靴底部分２２の後端部４６に重り５８を取り外し自在に取り付けるための重り取り付け手段７８が、運動靴１４の靴底部分２２の後端部４６の底面５０と上方縁部５４との間に位置付けたキャビティ８２を更に含んでいる。キャビティ８２は、上方縁部８６と、下方縁部９０と、後方部分９４とを有し、重り５８を受ける寸法形状及び配置とされる。
【００２７】
下方の受け用ノッチ９８がキャビティ８２の下方縁部９０の位置に位置付けられ、上方の受け用ノッチ１０２がキャビティ８２の上方縁部８６に位置付けられる。重り５８の底縁部７４に突出タブ１０６が固定される。突出タブ１０６は、キャビティ８２の下方の受け用ノッチ９８と取り外し自在に係合する寸法形状及び配置とされる。
【００２８】
図２、図４、図５に示すように、重り５８の上方縁部７０に弾性ラッチ１１０が固定される。弾性ラッチ１１０は、キャビティ８２の上方の受け用ノッチ１０２と釈放自在に係合する寸法形状及び配置とされる。使用に際しては、突出タブ１０６を下方の受け用ノッチ９８に挿通し、重り５８を運動靴１４に向けて上方に傾ける。弾性ラッチ１１０を突出タブ１９６に向けて押し下げて重り５８をキャビティ８２に押し込む。弾性ラッチ１１０を釈放し、上方の受け用ノッチ１０２に係合させる。かくして、重り５８は運動靴１４に取り外し自在に取り付けられる。
【００２９】
図５に例示される別態様では、運動靴１４のキャビティ８２に取り付けるための形態とされた、可変重量の複数の重り５８が提供される。他の別態様では、重り５８は、腐食力から重りを保護し且つ運動靴１４の外観を向上させるべく選択した覆い材内に格納される。
図６〜図８に例示する更に他の別態様では、重り５８を靴底部分２２の後端部４６に取り外し自在に取り付けるための重り取り付け手段７８が、運動靴１４の靴底部分２２の後端部４６の上方縁部５４と底面５０との間に位置付けたキャビティ１１４を更に含んでいる。キャビティ１１４は、上方縁部１１８と、下方縁部１２２と、後方部分１２６とを有し、重り５８を取り外し自在に受けるような寸法形状及び配置のものとされる。
【００３０】
キャビティ１１４の上方縁部１１８の位置に上方の受け用ノッチ１３０が位置付けられ、キャビティ１１４の下方縁部１２２に隣り合ってラッチ１３４が位置付けられる。ラッチ１３４は、キャビティ１１４の後方部分１２６と略平行に位置付けた弾性の細長部材１３８と、この細長部材１３８からキャビティ１１４に隣り合う位置へと直角に伸延する突出フィンガ１４２とを含む。
重り５８の上方縁部７０の位置に突出リップ１４６が形成される。突出リップ１４６は、上方の受け用ノッチ１３０と係合する寸法形状及び配置とされる。重り５８の底縁部７４に受け用突出タブ１５０が固定される。受け用突出タブ１５０は、ラッチ１３４の突出フィンガ１４２と取り外し自在に係合する寸法形状及び配置とされる。
【００３１】
使用に際しては、突出リップ１４６を上方の受け用ノッチ１３０に挿通し、重り５８を、運動靴１４に向けて下方に傾ける。ラッチ１３４の細長部材１３８を運動靴１４の外側に引っ張り、重り５８をキャビティ１１４に押し込む。細長部材１３８を釈放し、突出フィンガ１４２が受け用突出タブ１５０のオリフィス１５４と係合できるようにする。かくして、重り５８が運動靴１４に取り外し自在に取り付けられる。
図３及び図９〜図１１に例示される更に他の実施例では、上方部分１８と、弾性の靴底部分２２とを有する運動靴１４が提供される。上方部分１８は足前部包囲セクション２６と、踵部包囲セクション３０とを有し、踵部包囲セクション３０は、第１の側部３４及び第２の側部３８を有する。靴底部分２２は所定の厚さ１５８を有し、前端部４２と、後端部４６と、底面５０とを有する。
【００３２】
靴底部分２２は、この靴底部分２２の後端部４６の位置に開口１６６を有する踵重りキャビティ１６２を含む。踵重りキャビティ１６２は第１の所定距離１７０において前方に伸延する。踵重りキャビティ１６２は、上面１７４と、下面１７８と、前面１８２とを有する。
前端部１９０と、後端部１９４と、上面１９８と、底面２０２とを有する重り１８６が提供される。重り１８６は、踵重りキャビティ１８２内に滑り嵌めする形状を有する。重り１８６を踵重りキャビティ１６２から排出するための手段２０６と、踵重りキャビティ１６２内に重り１８６を釈放自在に維持するための手段２１０とが設けられる。
【００３３】
図１１の実施例では、運動靴１４の踵重りキャビティ１６２内に滑り嵌めする形態とされた可変重量の複数の重り１８６もまた提供される。
図９〜図１１に例示する他の実施例では、踵重りキャビティ１６２から重り１８６を排出するための手段２０６が、踵重りキャビティ１６２の前面１８２に固定され且つ踵重りキャビティ１６２と重り１８６との間に配置された第１の圧縮バネ２１４を含む。
【００３４】
図９〜図１１の実施例では、踵重りキャビティ１６２内に重り１８６を釈放自在に維持するための手段２１０は、踵重りキャビティ１６２の上面１７４内でこの上面１７４と直角に位置決めされた図示されない戻止め開口と、重り１８６の上面１９８に固定されたラッチ２１８とを含んでいる。ラッチ２１８は、重り１８６の後端部１９４に隣り合って位置決めされ、重り１８６の上面１９８から鋭角に突出する弾性の細長部材２２２と、この細長部材２２２から直角に上方に伸延する突出フィンガ２２６とを含む。突出フィンガ２２６は、踵重りキャビティ１６２の戻止め開口と釈放自在に係合する寸法形状及び配置とされる。
【００３５】
使用に際しては、重り１８６を踵重りキャビティ１６２に挿通し、第１の圧縮バネ２１４を圧縮する。細長部材２２２を重り１８６の上面１９８に向けて押し下げる。次いで細長部材２２２を釈放すると細長部材２２２がバネによって押し上げられ、突出フィンガ２２６が踵重りキャビティ１６２内で戻止め開口と係合する。かくして、運動靴１４の踵重りキャビティ１６２内で重り１８６が取り外し自在に維持される。重り１８６は、細長部材２２２を重り１８６に対して押し下げ、ラッチ２１８の突出フィンガ２２６を戻止め開口から外すことにより、踵重りキャビティ１６２から取り外す。
【００３６】
図１２及び図１３に例示される実施例では、可変重量の運動靴１０が、上方部分１８と弾性の靴底部分２２とを有する運動靴１４を含む構成を有し得る。上方部分１８は足前部包囲セクション２６と、踵部包囲セクション３０とを有し、靴底部分２２は所定の厚さ１５８と、前端部４２と、後端部４６と、中央アーチセクション２３０と、底面５０とを有する。
中央アーチセクション２３０は靴底部分２２の前端部４２と後端部４６との間に位置付けられ、第１の側部２３４と、図示しない第２の側部とを有している。中央アーチセクション２３０はアーチ重りキャビティ２４２を含む。アーチ重りキャビティ２４２は靴底部分２２の第１の側部２３４の位置に開口２４６を含み、開口２４６は、第２の所定距離２５０において第２の側部に向けて伸延する。
【００３７】
前端部２７０と、後端部２７４と、上面２７８と、底面２８２とを有する重り２６６が提供される。重り２６６は、アーチ重りキャビティ２４２内に滑り嵌めする形状を有する。アーチ重りキャビティ２４２から重り２６６を排出させるための重り排出手段２８６と、アーチ重りキャビティ２４２内で重り２６６を釈放自在に維持するための重り維持手段２９０とが提供される。
本実施例では、可変重量の、運動靴１４のアーチ重りキャビティ２４２内に滑り嵌めする形態とした複数の重り２６６が提供される。
更に他の実施例では、アーチ重りキャビティ２４２から重り２６６を排出するための重り排出手段２８６が、アーチ重りキャビティ２４２の遠端部表面２６２に固定され、アーチ重りキャビティ２４２と重り２６６との間に配置された第２の圧縮バネ２９４を含んでいる。
【００３８】
更に他の実施例では、重り２６６をアーチ重りキャビティ２４２内で釈放自在に維持するための重り維持手段２９０が、アーチ重りキャビティ２４２の上面２５４内で、アーチ重りキャビティ２４２の上面に対して直角に位置決めされた戻止め開口２９８と、重り２６６の上面２７８に固定したラッチ３０２とを含んでいる。ラッチ３０２は重り２６６の後端部２７４に隣り合わせて取り付けられ、重り２６６の上面２７８から上方に鋭角に突出する弾性の細長部材３０６と、この細長部材３０６から直角方向に伸延する突出フィンガ３１０とを含む。突出フィンガ３１０は、アーチ重りキャビティ２４２の戻止め開口２９８と釈放自在に係合する寸法形状及び配置とされる。
【００３９】
使用に際しては、重り２６６をアーチ重りキャビティ２４２に挿通して第２の圧縮バネ２９４を圧縮する。細長部材３０６を重り２６６の上面に向けて押し下げ、次いで細長部材３０６を釈放する。これにより、細長部材３０６がバネにより押し上げられ、突出フィンガ３１０がアーチ重りキャビティ２４２の戻止め開口２９８と係合し、かくして、運動靴１４のアーチ重りキャビティ２４２内に重り２６６が取り外し自在に維持される。
細長部材３０６を重り２６６に対して押し下げるとラッチ３０２の突出フィンガ３１０が戻止め開口２９８から外れ、第２の圧縮バネ２９４が重り２６６をアーチ重りキャビティ２４２の外側に付勢し、かくして装着者は重り２６６をアーチ重りキャビティ２４２から取り外せるようになる。
【００４０】
図１４及び図１５に例示される更に他の実施例では、靴底部分２２の後端部４６に重り３７８を取り外し自在に取り付けるための重り取り付け手段３１４が、第１のＬ形整列レール３２２と、第２のＬ形整列レール３２６とを更に含んでいる。各Ｌ形整列レール３２２及び３２６は、靴底部分２２の後端部４６の上方縁部５４に隣り合って位置付けられる。上方縁部３３４と、下方縁部３３８と、後壁３４２とを有し、靴底部分２２の後端部４６上で、第１及び第２の各Ｌ形整列レール３２２及び３２６の間の中心に位置付けられるキャビティ３３０が設けられる。キャビティ３３０は靴底部分２２の底面５０から離間される。
【００４１】
ラッチ部材３４６が設けられる。ラッチ部材３４６は、第１の端部３５４と第２の端部３５８とを有する垂直部分３５０を含む。第１の端部３５４はキャビティ３３０の下方縁部３３８にピボット廻動自在に取り付けられる。ラッチ部材３４６の第２の端部３５８には突出フィンガ要素３６２が固定され、キャビティ３３０から外側に伸延される。後壁３４２と、ラッチ部材３４６との間に第３の圧縮バネ３６８が位置付けられ、この第３の圧縮バネが、ラッチ部材３４６をキャビティ３３０の外側に付勢する。
【００４２】
第１のアクセス開口３６６と、第２のアクセス開口３７０とが設けられる。第１及び第２の各アクセス開口３６６及び３７０は、取り外し自在の靴用の重り３７８の内側面３７４上で、第１及び第２の各Ｌ形整列レール３２２及び３２６を受ける寸法形状及び配置とされる。
第１のＬ形整列長孔３８２及び第２のＬ形整列長孔３８６が設けられる。第１及び第２の各Ｌ形整列長孔３８２及び３８６は、第１及び第２の各アクセス開口３６６及び３７０から重り３７８の上方縁部長孔３９０に向けて伸延する。
第１及び第２の各整列長孔３８２、３８６は、第１及び第２の各Ｌ形整列レール３２２及び３２６を摺動自在に受ける寸法形状及び配置とされる。
【００４３】
重り３７８の底縁部３９８に隣り合って位置付けられ、ラッチ部材３４６の突出フィンガ要素３６２と取り外し自在に係合する寸法形状を有する受け用ノッチ３９４が設けられる。使用に際しては、第１及び第２の各アクセス開口３６６及び３７０を第１及び第２の各Ｌ形整列レール上に位置付ける。重り３７８を押し下げて第１及び第２の各Ｌ形整列レールを第１及び第２の各整列長孔３８２及び３６６と係合させ、ラッチ部材３４６を第３の圧縮バネ３６８に抗して押し込み、受け用ノッチ３９４がラッチ部材３４６の突出フィンガ要素３６２を乗り越えられるようにする。ラッチ部材３４６を釈放すると突出フィンガ要素３６２が重り３７８の受け用ノッチ３９４と係合し、かくして、重り３７８が運動靴１４に取り外し自在に取り付けられる。
【００４４】
ラッチ部材３４６を第３の圧縮バネ３６８に抗して押し込み、重り３７８を運動靴１４から上方に引き上げ、突出フィンガ要素３６２を受け用ノッチ３９４から外し、重り３７８を上方に摺動させて第１及び第２の各Ｌ形整列レール３２２及び３２６を第１のアクセス開口３６６及び第２のアクセス開口３７０に入れる。かくして、重り３７８を運動靴１４の靴底部分２２の後端部４６から外側に引き出して取り外せるようになる。
更に他の実施例では、運動靴１４の靴底部分２２の後端部４６に取り付ける形態とした可変重量の複数の重り３７８が提供される。
更に他の実施例では、重り３７８は、この重り３７８を腐食力から保護し且つ運動靴１４の外観を向上させるために選択された覆い材内に格納される。
【００４５】
図１６〜図１８に例示される本発明の更に他の実施例では、重り４０２を靴底部分２２の後端部４６に取り外し自在に取り付けるための手段３９８が、踵部包囲セクション３０の第１の側部３４及び第２の側部３８に位置付けた第１のＬ形ブラケット４０６及び第２のＬ形ブラケット４１０を更に含んでいる。第１及び第２の各Ｌ型ブラケット４０６、４１０は靴底部分２２の底面５０から第３の所定距離４１４において離間される。
【００４６】
重り４０２は、第１の重り部分４２２と、第２の重り部分４２６と、カム錠止レバー４３０とを含む。カム錠止レバー４３０は、第１の端部４３４と、第２の端部４３８と、上面４４２と、底面４４６とを有する。第１の重り部分４２２は第１の端部４５０と第２の端部４５４とを有する。第１のＬ形ブラケット４０６と取り外し自在に係合する寸法形状の第１のフック要素４５８が設けられる。第１のフック要素４５８は第１の重り部分４２２の第１の端部４５０の位置に位置付けられる。
【００４７】
第１の重り部分４２２の第２の端部４５４に隣り合って複数の調節ノッチ４６２が設けられる。第２の重り部分４２６は第１の端部４６６と第２の端部４７０とを有する。第２のＬ形ブラケット４１０と取り外し自在に係合する寸法形状とされた第２のフック要素４７４が設けられる。第２のフック要素４７４が、第２の重り部分４２６の第２の端部４７０の位置に位置付けられる。
【００４８】
第２の重り部分４２６の第１の端部４６６に隣り合ってピボットピン４７８が位置付けられる。カム錠止レバー４３０の底面４４６を受ける寸法形状とされ、第２の重り部分４２６の第１の端部４４６から離間された釈放凹所４８２が設けられる。カム錠止レバー４３０が、その第１の端部４３４の位置で、第２の重り部分４２６のピボットピン４７８にピボット廻動自在に取り付けられる。第１の重り部分４２２上の複数の調節ノッチ４６２と係合する寸法形状及び位置を有するノッチ係合爪４８２が設けられる。ノッチ係合爪４８２は、カム錠止レバー４３０の第１の端部４３４と、第２の端部４３８との間にピボット廻動自在に取り付けられる。
【００４９】
カム錠止レバー４３０と、ノッチ係合爪４８２のピボット取り付け部４９０との間に開口４８６が位置付けられる。開口４８６は、第１の重り部分４２２の第２の端部４５４及び複数の調節ノッチ４６２を摺動自在に通過させ得る寸法形状を有する。運転ハンドル４９４がカム錠止レバー４３０の第２の端部４３８の位置に位置付けられる。
【００５０】
運転に際しては、第１の重り部分４２２の第２の端部４５４をカム錠止レバー４３０の開口４８６に通し、運転ハンドル４９４を使用してカム錠止レバー４３０を図１８に示す第１の開放位置に移動する。第１のフック要素４５８を第１のＬ形ブラケット４０６の上方に位置付け、第２のフック要素４７４を第２のＬ形ブラケット４１０の上方に位置付ける。次いで、ノッチ係合爪４８２を第１の重り部分４２２の調節ノッチ４６２の１つと係合させ、カム錠止レバー４３０を第２の閉鎖位置に移動する（図１６及び図１７）。これにより、カム錠止レバー４３０の底面４６６が第２の重り部分４２６の釈放凹所４８２内に位置付けられ、重り４２０の第１の重り部分４２２及び第２の重り部分４２６が、運動靴１４の靴底部分２２の後端部４６に取り外し自在に取り付けられる。
【００５１】
運転ハンドル４９４を移動させてカム錠止レバー４３０を第１の開放位置に移動すると、第１のフック要素４５８と第２のフック要素４７４とが第１及び第２の各Ｌ形ブラケット４０６及び４１０から外れ、かくして、重り４０２を運動靴１４から取り外せるようになる。
更に他の実施例では、運動靴の靴底部分の後端部４６に取り付ける形態とした可変重量の複数の重り４０２が含まれる。
【００５２】
図１９に例示する更に他の実施例では、上方部分１８及び弾性の靴底部分２２を有する運動靴１４が含まれる。運動靴１４の上方部分１８は足前部包囲セクション２６と、踵部包囲セクション３０とを有し、足前部包囲セクション２６は第１の側部４９８及び第２の側部５０２を有し、且つ、第１の側部４９８及び第２の側部５０２において、少なくとも１対の第１のＬ形ブラケット５０６及び第２のＬ形ブラケット（図示せず）を含んでいる。
【００５３】
図１６の実施例では、取り外し自在の靴用の重り４０２を、図１６〜図１８に例示され且つ説明された様式下において、運動靴１４の上方部分１８の足前部包囲セクション２６の第１及び第２の各側部４９８及び５０２に配置した第１のＬ形ブラケット５０２及び第２のＬ形ブラケット（図示せず）に取り付けることができる。
本発明の最後の実施例は、運動靴１４の足前部包囲セクションに取り付ける形態とした可変重量の複数の重り４０２を更に含んでいる。
この実施例によれば、
可変重量の運動靴であって、
上方部分と、弾性の靴底部分とを有し、上方部分が、足前部包囲セクションと、踵部包囲セクションとを有する運動靴と、
前記足前部包囲セクションが第１及び第２の各側部を有し且つ、前記第１及び第２の各側部上に配置された少なくとも一対の第１及び第２の各Ｌ形ブラケットを含み、
第１の重り部分と、第２の重り部分と、カム錠止レバーとを含み、第１の端部と、第２の端部と、上面及び底面を有する重りにして、第１の重り部分が第１の端部及び第２の端部を有する重りと、
第１のＬ形ブラケットと取り外し自在に係合する寸法形状とされ、第１の重り部分の第１の端部位置に配置された第１のフック要素と、
第１の重り部分の第２の端部に隣り合って配置された複数の調節ノッチと、
前記第２の重り部分が第１及び第２の各端部を有し、
前記第２のＬ形ブラケットと取り外し自在に係合する寸法形状とされ、第２の重り部分の第２の端部位置に配置された第２のフック要素と、
第２の重り部分の第１の端部に隣り合って配置されたピボットピンと、
カム錠止レバーの底面を受ける寸法形状とされ且つ第２の重り部分の第１の端部から離間された釈放凹所と、
前記カム錠止レバーの第１の端部が、第２の重り部分のピボットピンにピボット廻動自在に取り付けられ、
第１の重り部分の複数の調節ノッチと係合する寸法形状及び配置とされたノッチ係合爪と、
該ノッチ係合爪がカム錠止レバーの第１及び第２の各端部間にピボット廻動自在に取り付けられ、
カム錠止レバーの第１の端部と、ノッチ係合爪のピボット取り付け部との間に配置された開口にして、第１の重り部分の複数の調節ノッチ及び第２の端部を摺動自在に通過させ得る寸法形状とされた開口と、
カム錠止レバーの第２の端部位置に配置された運転ハンドルと、
を含み、
第１の重り部分の第２の端部をカム錠止レバーの開口に通し、カム錠止レバーを第１の開放位置に運転ハンドルを使用して移動することにより、第１のフック要素が第１のＬ形ブラケットの上方に配置され、第２のフック要素が第２のＬ形ブラケットの上方に配置され、ノッチ係合爪が第１の重り部分の調節ノッチの１つと係合し、カム錠止レバーを第２の閉鎖位置に移動してカム錠止レバーの底面を第２の重り部分の釈放凹所内に配置することにより、重りの第１の重り部分及び第２の重り部分が運動靴の靴底部分の後端部に取り付け自在に取り付けられ、
運転ハンドルを移動してカム錠止レバーを第１の開放位置とすることにより、第１及び第２の各フック要素が第１及び第２の各Ｌ形ブラケットから外れ、かくして、重りを運動靴から取り外せることができるようにした可変重量の運動靴が提供される。
以上、本発明を実施例を参照して説明したが、本発明の内で種々の変更をなし得ることを理解されたい。
【００５４】
（発明の効果）
靴の可変重りを提供することである。
【図面の簡単な説明】
【図１】  運動靴の靴底部分の後端部に取り付けた、第１のラッチ機構を使用する、取り外し自在の靴用重りの第１の実施例の正面図である。
【図２】  重り保持用クリップを例示する、図１の１実施例の斜視図である。
【図３】  運動靴に取り付けた状態での図１の実施例の側面図である。
【図４】  図１の実施例を線４−４で切断した断面図である。
【図５】  図１の実施例の、より軽い方の重りのための穴を設けた状態での斜視図である。
【図６】  運動靴の靴底部分の後端部に取り付けた第２のラッチ機構を使用する、取り外し自在の靴用重りの第２実施例の側方断面図である。
【図７】  運動靴の踵部分のキャビティに挿通した状態での、取り外し自在の靴用重りの第２実施例の側方断面図である。
【図８】  受け用突出タブ及びオリフィスを例示する、取り外し自在の靴用重りの図７の実施例の正面図である。
【図９】  運動靴の踵に組み込んだ状態での、取り外し自在の靴用重りの第３実施例の部分破除した側面図である。
【図１０】  ラッチ機構を例示する図９の実施例の斜視図である。
【図１１】  軽い方の重りのための穴を設けた図９の実施例の斜視図である。
【図１２】  運動靴のアーチに取り付けた第１のラッチ機構を使用する、取り外し自在の靴用重りの第４実施例の部分破除した側面図である。
【図１３】  図１２の実施例を線１３−１３で切断した側方断面図である。
【図１４】  運動靴の靴底部分の後端部に取り付けた第３のラッチ機構を使用する、取り外し自在の靴用重りの第５実施例の側方断面図である。
【図１５】  ラッチ機構、整列レール及び靴用重りの内側面の特徴部分を例示する図１４の実施例の斜視図である。
【図１６】  運動靴の靴底部分の後端部に取り付けたカム錠止ラッチ機構を例示する、取り外し自在の靴用重りの第６実施例の正面図である。
【図１７】  閉鎖位置とした状態でのカム錠止ラッチ機構を例示する図１６の実施例の平面図である。
【図１８】  カム錠止ラッチ機構を例示する図１６の実施例の平面図である。
【図１９】  運動靴の足前部包囲セクションに取り付けた状態での図１６の靴用重りの斜視図である。
【符号の説明】
１０  可変重量の運動靴
１４  運動靴
１８  上方部分
２２  靴底部分
２６  足前部包囲セクション
２８  第２の側部
３０  踵部包囲セクション
３４  第１の側部
４２  前端部
４６  後端部
５０  底面
５４  上方縁部
５８  重り
６２  内側面
６６  外側面
７０  上方縁部
７４  底縁部
７８  重り取り付け手段
８２  キャビティ
８６  上方縁部
９０  下方縁部
９４  後方部分
９８  下方の受け用ノッチ
１０２  上方の受け用ノッチ
１０６  突出タブ
１１０  弾性ラッチ
１１４  キャビティ
１１８  上方縁部
１２２  下方縁部
１２６  後方部分
１３０  上方の受け用ノッチ
１３４  ラッチ
１３８  細長部材
１４２  突出フィンガ
１４６  突出リップ
１５０  受け用突出タブ
１５４  オリフィス
１６２  踵重りキャビティ
１６６  開口
１７０  第１の所定距離
１７４  上面
１７８  下面
１８２  前面
１８６  重り
１９０  前端部
１９４  後端部
１９８  上面
２０２  底面
２０６  重り排出手段
２１０  重り維持手段
２１４  第１の圧縮バネ
２１８  ラッチ
２２２  細長部材
２２６  突出フィンガ
２３０  中央アーチセクション
２３４  第１の側部
２４２  アーチ重りキャビティ
２４６  開口
２５０  第２の所定距離
２５４  上面
２６２  遠端部表面
２６６  重り
２７４  後端部
２７４  前端部
２７８  上面
２８２  底面
２８６  重り排出手段
２９０  重り維持手段
２９４  第２の圧縮バネ
２９８  戻止め開口
３０２  ラッチ
３０６  細長部材
３１０  突出フィンガ
３１４  重り取り付け手段
３２２  第１のＬ形整列レール
３２６  第２のＬ形整列レール
３２６  第２のＬ形整列長孔
３３０  キャビティ
３３４  キャビティ
３３４  上方縁部
３３８  下方縁部
３４２  後壁
３４６  ラッチ部材
３５０  垂直部分
３５４  第１の端部
３５８  第２の端部
３６２  突出フィンガ要素
３６６  第１のアクセス開口
３６８  第３の圧縮バネ
３７０  第２のアクセス開口
３７４  内側面
３７８  重り
３８２  第１のＬ形整列長孔
３９０  上方縁部
３９４  受け用ノッチ
３９８  底縁部
４０２  重り
４０６  第１のＬ形ブラケット
４１０  第２のＬ形ブラケット
４１４  第３の所定距離
４２２  第１の重り部分
４２６  第２の重り部分
４３０  カム錠止レバー
４３４  第１の端部
４３８  第２の端部
４４２  上面
４４６  底面
４５０  第１の端部
４５４  第２の端部
４５８  第１のフック要素
４６２  調節ノッチ
４６６  第１の端部
４７０  第２の端部
４７４  第２のフック要素
４７８  ピボットピン
４８２  ノッチ係合爪
４８２  釈放凹所
４８６  開口
４９０  ピボット取り付け部
４９４  運転ハンドル
４９８  第１の側部
５０２  第２の側部
５０６  第１のＬ形ブラケット
【図１】
0004347525.tif 000002
【図２】
0004347525.tif 000003
【図３】
0004347525.tif 000004
【図４】
0004347525.tif 000005
【図５】
0004347525.tif 000006
【図６】
0004347525.tif 000007
【図７】
0004347525.tif 000008
【図８】
0004347525.tif 000009
【図９】
0004347525.tif 000010
【図１０】
0004347525.tif 000011
【図１１】
0004347525.tif 000012
【図１４】
0004347525.tif 000013
【図１５】
0004347525.tif 000014
【図１２】
0004347525.tif 000015
【図１３】
0004347525.tif 000016
【図１６】
0004347525.tif 000017
【図１７】
0004347525.tif 000018
【図１８】
0004347525.tif 000019
【図１９】
0004347525.tif 000020